(57)【要約】【課題】オーダーワイヤ制御方法において、複雑なネットワーク構成における障害時の自動救済が可能となることを目的とする。【解決手段】発信局の伝送装置は、自局の装置情報を設定したルート検索パケットデータを送信し、終端の伝送装置から返送されたルート検索パケットデータに設定された複数の伝送装置の装置情報を基にオーダーワイヤ接続ルートテーブルを作成し、着信局の伝送装置宛の局番呼出しパケットデータをオーダーワイヤ接続ルートテーブルに基づいて送信し、着信局の伝送装置と発信局の伝送装置で、同期転送信号のオーバーヘッドの第３のバイトを電話機にクロスコネクトする。【選択図】    図６
2010147931.tif 000002
【特許請求の範囲】
【請求項１】
同期網を構成する伝送装置間で通話を行うオーダーワイヤ制御方法において、
発信局の伝送装置は、自局の装置情報を設定したルート検索パケットデータを同期転送信号のオーバーヘッドの第１のバイトにて送信し、
前記ルート検索パケットデータを受信した伝送装置は、送信先がある場合に受信したルート検索パケットデータに自局の装置情報を追加して送信し、送信先がない場合に受信したルート検索パケットデータに自局の装置情報と終端情報を追加して前記発信局に返送し、
発信局の伝送装置は、前記終端の伝送装置から返送されたルート検索パケットデータに設定された複数の伝送装置の装置情報を基にオーダーワイヤ接続ルートテーブルを作成し、
発信局の伝送装置は、着信局の伝送装置宛の局番呼出しパケットデータを同期転送信号のオーバーヘッドの第２のバイトにて前記オーダーワイヤ接続ルートテーブルに基づいて送信し、
前記局番呼出しパケットデータを受信した着信局の伝送装置は、同期転送信号のオーバーヘッドの第３のバイトを電話機にクロスコネクトして、前記局番呼出しパケットデータを発信局に返送し、
返送された前記局番呼出しパケットデータを受信した発信局の伝送装置は、前記第３のバイトを電話機にクロスコネクトし、
発信局の伝送装置と着信局の伝送装置でオーダーワイヤ回線を接続することを特徴とするオーダーワイヤ制御方法。
【請求項２】
請求項１記載のオーダーワイヤ制御方法において、
前記ルート検索パケットデータを複数のインタフェースから受信した伝送装置は、前記複数のインタフェースのうち先着のインタフェースを受信インタフェースとし、後着のインタフェースから受信したルート検索パケットデータに自局の装置情報と終端情報を追加して前記発信局に返送し、
前記前記ルート検索パケットデータを受信していないインタフェースから受信したルート検索パケットデータに自局の装置情報を追加して対向局に送信することを特徴とするオーダーワイヤ制御方法。
【請求項３】
請求項２記載のオーダーワイヤ制御方法において、
前記ルート検索パケットデータを受信した伝送装置は、障害のインタフェースがある場合に前記受信インタフェースから受信したルート検索パケットデータに障害ありの自局の装置情報と終端情報を追加して前記発信局に返送することを特徴とするオーダーワイヤ制御方法。
【請求項４】
請求項１乃至３のいずれか１項記載のオーダーワイヤ制御方法において、
同期転送信号のオーバーヘッドの複数バイトを前記第３のバイトに割り当て、
発信局の伝送装置からオーダーワイヤ回線接続の要求がある毎に、前記複数バイトの第３のバイトうち使用されていないバイトを選択して電話機にクロスコネクトし要求されたオーダーワイヤ回線接続を行うことを特徴とするオーダーワイヤ制御方法。
【請求項５】
同期網を構成する伝送装置間で通話を行うオーダーワイヤ制御を行う伝送装置において、
自局の装置情報を設定したルート検索パケットデータを生成して同期転送信号のオーバーヘッドの第１のバイトにて送信する第１送信手段と、
受信した前記ルート検索パケットデータの送信先がある場合に受信した前記ルート検索パケットデータに自局の装置情報を追加して送信し、受信した前記ルート検索パケットデータの送信先がない場合に受信した前記ルート検索パケットデータに自局の装置情報と終端情報を追加して発信局に返送する第２送信手段と、
返送された前記終端情報を含むルート検索パケットデータを受信し、前記終端情報を含むルート検索パケットデータに設定された複数の伝送装置の装置情報を基にオーダーワイヤ接続ルートテーブルを作成するテーブル作成手段と、
着信局の伝送装置宛の局番呼出しパケットデータを同期転送信号のオーバーヘッドの第２のバイトにて前記オーダーワイヤ接続ルートテーブルに基づいて送信する第３送信手段と、
受信した前記局番呼出しパケットデータの着信局が自装置であるとき、同期転送信号のオーバーヘッドの第３のバイトを電話機にクロスコネクトすると共に、前記局番呼出しパケットデータを発信局に返送する第１クロスコネクト手段と、
返送された前記局番呼出しパケットデータの発信局が自装置であるとき、前記第３のバイトを電話機にクロスコネクトする第２クロスコネクト手段と、
を有することを特徴とする伝送装置。
【請求項６】
請求項５記載の伝送装置において、
前記第２送信手段は、前記ルート検索パケットデータを複数のインタフェースから受信した場合に、前記複数のインタフェースのうち先着のインタフェースを受信インタフェースとし、後着のインタフェースから受信したルート検索パケットデータに前記自局の装置情報と終端情報を追加して前記発信局に返送する手段と、
前記前記ルート検索パケットデータを受信していないインタフェースから受信したルート検索パケットデータに前記自局の装置情報を追加して対向局に送信する手段を
有することを特徴とする伝送装置。
【請求項７】
請求項６記載の伝送装置において、
前記第２送信手段は、障害のインタフェースがある場合に前記受信インタフェースから受信したルート検索パケットデータに障害ありの自局の装置情報と終端情報を追加して前記発信局に返送する手段を
有することを特徴とする伝送装置。
【請求項８】
請求項５乃至７のいずれか１項記載の伝送装置において、
同期転送信号のオーバーヘッドの複数バイトを前記第３のバイトに割り当て、
前記第１クロスコネクト手段は、発信局の伝送装置からオーダーワイヤ回線接続の要求がある毎に、前記複数バイトの第３のバイトうち使用されていないバイトを選択して電話機にクロスコネクトすることを特徴とする伝送装置。
【発明の詳細な説明】
【技術分野】
【０００１】
本発明は、伝送装置の保守用専用回線を提供するオーダーワイヤ制御方法及び伝送装置に関する。
【背景技術】
【０００２】
本発明は、ＳＤＨ（Ｓｙｎｃｈｒｏｎｏｕｓ  Ｄｉｇｉｔａｌ  Ｈｉｅｒａｒｃｈｙ）又はＳＯＮＥＴ（Ｓｙｎｃｈｒｏｎｏｕｓ  Ｏｐｔｉｃａｌ  Ｎｅｔｗｏｒｋ）等の同期網のＡＤＭ（Ａｄｄ  Ｄｒｏｐ  Ｍｕｌｔｉｐｌｘｅｒ）トランスポートシステムでは、保守用専用回線としてオーダーワイヤがサポートされている。
【０００３】
オーダーワイヤ（ＯＷ）とは、電話機（発信局）から入力される音声信号をＡ／Ｄ変換し、オーバヘットのＥ１＃１バイト又はＥ２＃１バイトに挿入して、ラインに多重され出力される。中継する伝送装置（ＡＤＭ装置又は中継装置）は、Ｅ１＃１バイト又はＥ２＃１バイトを終端し、自局の音声信号を加算した後、再度オーバヘットのＥ１＃１バイト又はＥ２＃１バイトに音声データを挿入して中継転送する。
【０００４】
着信局は、Ｅ１＃１バイト又はＥ２＃１バイトの音声データをＤ／Ａ変換し、音声信号を電話機に出力することで、発信局と着信局間の通話が可能となる。また、オーダーワイヤ用のバイトとしては、Ｅ１バイトとＥ２バイトの２バイトが割り当てられている。
【０００５】
図１は従来のリニア構成のオーダーワイヤネットワークの一例の構成図を示す。図２は従来の伝送装置のオーダーワイヤ回路部の一例の構成図を示す。
【０００６】
図１において、ａ局，ｂ局，ｃ局，ｄ局それぞれの伝送装置がライン（伝送路）によってリニア構成で接続されている。各局の伝送装置は、音声信号を加算する加算部１１、Ａ／Ｄ変換及びＤ／Ａ変換を行うＣＯＤＥＣ１２ａ，１２ｂ、音声データをＳＯＨ（Ｓｅｃｔｉｏｎ  ＯｖｅｒＨｅａｄ）のＥ１，Ｅ２バイトに多重するオーバーヘッドバイト多重部（ＯＨＢ  ＭＵＸ）１３ａ，１３ｂ、ＳＯＨのＥ１，Ｅ２バイトから音声データを多重分離するオーバーヘッドバイト多重分離部（ＯＨＢ  ＤＭＵＸ）１４ａ，１４ｂを有している。
【０００７】
また、図２に示すように、加算部１１はＥ１／Ｅ２切替え部１５、フックスイッチ１６ａ，１６ｂ、ハイブリッド（ＨＢ）１７を介して電話機１８に接続されている。フックスイッチ１６ａにはＤＴＭＦ受信部１９が接続されている。局番一致検出部２０は受信したＤＴＭＦ信号の自局の局番号との一致検出を行う。呼出し動作部２１は一致検出信号によりブザーやＬＥＤ等で呼出し動作を行う。また、リングバックトーン発生部（ＲＢＴ）２２は一致検出信号によりリングバックトーンを発生してフックスイッチ１６ｂから加算部１１に供給する。
【０００８】
発信局の装置に接続した電話機のＤＴＭＦ発信機能を用いて着信局の保守者を呼び出すその動作について説明する。
【０００９】
はじめに伝送装置毎の設定として、Ｅ１／Ｅ２切替え部１５での各ラインのＥ１／Ｅ２選択と、局番一致検出部２０での呼出し機能に使用される局番号（装置ＩＤ）の設定、及び呼出し動作部２１での呼出し動作設定を伝送装置内のマイクロコンピュータ（μ−ＣＯＭ）２４で行う。
【００１０】
発信局（ａ局）の保守者が電話機１８をオフフックし、呼出し局（着信局）の装置ＩＤ「＃００４」をダイヤルする。着信局（ｄ局）はＤＴＭＦコードにて送られてきたアナログ信号をＤＴＭＦ受信部１９にて変換し、自局番号との一致を検出し、一致すればリングバックトーン送出と呼出し動作（ブザー，ＬＥＤ等）を行う。保守者は呼出し動作に気づき電話機１８をオフフックすると、呼出し動作が解除され、保守者間の通話が可能となる。
【００１１】
発信又は着信以外の局でも自局番号との一致を常に検出するため、各伝送装置はＥ１＃１バイト又はＥ２＃１バイトを終端してＤ／Ａ変換して音声信号にする。この音声信号は加算部１１を通りＡ／Ｄ変換後、再度オーバヘットのＥ１＃１バイト又はＥ２＃１バイトに多重して中継転送する。
【００１２】
また、従来から局番呼出し（ポイント・ツー・ポイント通話）とグループ呼出し（多地点通話）の２方式をサポートするオーダーワイヤネットワークがある。この場合、グループ呼出し用のオーダーワイヤ回路を局番呼出しでも使用しているため、発信着信以外の局においてもＥ１＃１バイト又はＥ２＃１バイトを終端し、Ｄ／Ａ変換してアナログの加算部に供給し、加算部出力をＡ／Ｄ変換後、再度オーバヘットのＥ１＃１バイト又はＥ２＃１バイトにデータを挿入することで常に多地点通話ができるようにしている。
【００１３】
＜リングプロテクション機能、リングリストア機能＞
リングプロテクション機能とリングリストア機能について図３を用いて説明する。リングプロテクション機能は、リング構成でのハウリング現象を防止するため、リング内でマスタ局とスレーブ局を設定し、マスタ局のラインのウエスト側のオーダーワイヤ信号（ＯＷ信号）を切断（終端）する機能である。図３（Ａ）において、ａ局をマスタ局に設定し、ｂ局，ｃ局，ｄ局をスレーブ局に設定する。そして、ａ局のウエスト側のＯＷ信号を切断する（２本実線で示す）。なお、マスタ局／スレーブ局の設定は各伝送装置のマイクロコンピュータで設定する。
【００１４】
リングリストア機能は、通常マスタ局のラインのウエスト側のオーダーワイヤ信号（ＯＷ信号）を切断しているが、回線障害が発生した場合にＯＷ回線が不通となる局ができるので、ＳＯＨの救済バイトであるＦ１バイト，Ｄ４＃２バイト，Ｅ１＃２バイト，Ｅ２＃２バイトを用いて回線障害情報をマスタ局に通知することにより、回線障害時にマスタ局のウエスト側のＯＷ信号切断を停止してＯＷ回線を救済する機能である。図３（Ｂ）では、ｃ局，ｄ局間で回線障害が発生し、この回線障害を通知されたａ局はリングリストア機能により図３（Ｃ）に示すようにウエスト側のＯＷ信号の切断を停止する。
【００１５】
ところで、伝送装置のオーダーワイヤ回線において１回線のみのＯＷ回線を有効に利用するために余剰ＯＨＢを用いて制御信号を送受信し設定することで、回線の複数区間で同時通話を可能とするものがある（例えば特許文献１参照）。
【００１６】
また、オーダーワイヤ回線を具備した多段接続された通信装置で自装置の着信の状態を見て信号を終端するか否かを判定することで、音声特性の劣化を回避するものがある（例えば特許文献２参照）。
【特許文献１】特開閉７−５８７１８号公報
【特許文献２】特開２００３−２４４１９７号公報
【発明の開示】
【発明が解決しようとする課題】
【００１７】
図４を用いて、デュアルリング構成におけるリングプロテクション機能とリングリストア機能について説明する。
【００１８】
デュアルリング構成時のハウリング防止は、図４（Ａ）に示すように、伝送装置ＮＥ１，ＮＥ２，ＮＥ３，ＮＥ４で構成されるリングＡでは伝送装置ＮＥ１をマスタ局とし、伝送装置ＮＥ５，ＮＥ６，ＮＥ７，ＮＥ８で構成されるリングＢでは伝送装置ＮＥ６をマスタ局として、それぞれラインのウエスト側のＯＷ信号を切断する。
【００１９】
また、図４（Ａ）の構成ではリングＡのＮＥ２，ＮＥ３，リングＢのＮＥ５，ＮＥ８によりループができている。このため、やむなくマイクロコンピュータの手動設定により、例えばＮＥ３，ＮＥ８間（又はＮＥ２，ＮＥ５間）でＯＷ信号を切断（ＤＩＳＡＢＬＥ：２本実線で示す）する。
【００２０】
ここで、図４（Ｂ）に示すように、リングＡ，Ｂ間を接続するＯＷ信号を接続（ＥＮＡＢＬＥ）するＮＥ２，ＮＥ５間で回線障害が発生した場合には、自動救済回路が働かず、オーダーワイヤ回線がリングＡのＮＥ２とリングＢのＮＥ５間で使用できなくなる。
【００２１】
このため、既存のリングに新たなリングを増設することでネットワークがメッシュ状等の複雑な構成になると、従来のリングプロテクション機能とリングリストア機能では、障害発生時の自動救済が不可能となるという問題があった。
【００２２】
また、従来のオーダーワイヤ機能では、発信又は着信以外の局でも自局番号との一致を常に検出するため、各伝送装置はＥ１＃１バイト又はＥ２＃１バイトを終端してＤ／Ａ変換して音声信号にする。この音声信号は加算部１１を通りＡ／Ｄ変換後、再度オーバヘットのＥ１＃１バイト又はＥ２＃１バイトに多重して中継転送している。このため、Ｅ１＃１バイト又はＥ２＃１バイトは常に使用され、同一回線上（同一ライン）で複数の保守者間通話（ポイント・ツー・ポイント）が不可能であるという問題があった。
【００２３】
開示のオーダーワイヤ制御方法は、複雑なネットワーク構成における障害時の自動救済が可能となることを目的とする。
【課題を解決するための手段】
【００２４】
開示の一実施態様によるオーダーワイヤ制御方法は、同期網を構成する伝送装置間で通話を行うオーダーワイヤ制御方法において、
発信局の伝送装置は、自局の装置情報を設定したルート検索パケットデータを同期転送信号のオーバーヘッドの第１のバイトにて送信し、
前記ルート検索パケットデータを受信した伝送装置は、送信先がある場合に受信したルート検索パケットデータに自局の装置情報を追加して送信し、送信先がない場合に受信したルート検索パケットデータに自局の装置情報と終端情報を追加して前記発信局に返送し、
発信局の伝送装置は、前記終端の伝送装置から返送されたルート検索パケットデータに設定された複数の伝送装置の装置情報を基にオーダーワイヤ接続ルートテーブルを作成し、
発信局の伝送装置は、着信局の伝送装置宛の局番呼出しパケットデータを同期転送信号のオーバーヘッドの第２のバイトにて前記オーダーワイヤ接続ルートテーブルに基づいて送信し、
前記局番呼出しパケットデータを受信した着信局の伝送装置は、同期転送信号のオーバーヘッドの第３のバイトを電話機にクロスコネクトして、前記局番呼出しパケットデータを発信局に返送し、
返送された前記局番呼出しパケットデータを受信した発信局の伝送装置は、前記第３のバイトを電話機にクロスコネクトし、
発信局の伝送装置と着信局の伝送装置でオーダーワイヤ回線を接続する。
【発明の効果】
【００２５】
本実施形態によれば、複雑なネットワーク構成における障害時の自動救済が可能となる。
【発明を実施するための最良の形態】
【００２６】
以下、図面に基づいて実施形態を説明する。
【００２７】
＜第１実施形態＞
図５はリニア構成のオーダーワイヤネットワークの一実施形態の構成図を示す。図６は伝送装置のオーダーワイヤ回路部の一実施形態の構成図を示す。
【００２８】
図５において、ａ局，ｂ局，ｃ局，ｄ局それぞれの伝送装置がライン（伝送路）によってリニア構成で接続されている。各局の伝送装置は、ＯＷ接続ルート制御又は呼出し制御を行うＯＷ接続ルート／呼出し制御部３１、局番呼出しパケットデータ音声データのクロスコネクト又は加算を行うＸＣ／加算部３２、Ａ／Ｄ変換及びＤ／Ａ変換を行うＣＯＤＥＣ３３、ルート検索パケットデータ，局番呼出しパケットデータ，音声データそれぞれをＳＯＨのＦ１，Ｄ４，Ｅ１，Ｅ２バイトに多重するオーバーヘッドバイト多重部（ＯＨＢ  ＭＵＸ）３４ａ，３４ｂ、ＳＯＨのＦ１，Ｄ４，Ｅ１，Ｅ２バイトからルート検索パケットデータ，局番呼出しパケットデータ，音声データそれぞれを多重分離するオーバーヘッドバイト多重分離部（ＯＨＢ  ＤＭＵＸ）３５ａ，３５ｂを有している。
【００２９】
また、図６に示すように、ＸＣ／加算部３２はＥ１／Ｅ２切替え部３６、ＣＯＤＥＣ３３、４Ｗ／２Ｗ（４ワイヤ／２ワイヤ）の変換を行うハイブリッド（ＨＢ）３８を介して電話機３９に接続されている。更に、マイクロコンピュータ（μ−ＣＯＭ）４０は、ＯＷ接続ルートテーブルを作成して保持すると共に、Ｅ１／Ｅ２切替え部３６の選択を設定する等の伝送装置各部の設定及び制御を行う。
【００３０】
リングバックトーン発生部（ＲＢＴ）４２はマイクロコンピュータ４０の設定によりリングバックトーンを発生し、セレクタ（ＳＥＬ）４３はリングバックトーンとＣＯＤＥＣ３３出力のいずれかを選択してＥ１／Ｅ２切替え部３６に供給する。
【００３１】
ＤＴＭＦ受信部４４は電話機３９が発生したＤＴＭＦ信号を受信してマイクロコンピュータ４０に通知する。ビジートーン発生部（ＢＴ）４５はマイクロコンピュータ４０の設定によりビジートーンを発生してＣＯＤＥＣ３３に供給する。
【００３２】
呼出し動作部４６はマイクロコンピュータ４０からの設定によりブザーやＬＥＤ等で呼出し動作を行う。給電回路４７は電話機３９のオフフックを検出して電話機３９に給電すると共に、オフフック及びオンフックの検出をマイクロコンピュータ４０に通知する。
【００３３】
ＯＷ接続ルート／呼出し制御部３１は、マイクロコンピュータ４０からＦ１／Ｄ４＃１−３＿ＩＮＳ（挿入部）３１ａに設定されるルート検索パケットデータと局番呼出しパケットデータを、ＳＯＨのＦ１＃１−３バイトとＤ４＃１−３バイトを使用してネットワーク内の各伝送装置に送る。また、他の伝送装置から受信したＳＯＨから抽出したＦ１＃１−３バイトとＤ４＃１−３バイトをＦ１／Ｄ４＃１−３＿ＦＦ（抽出部）３１ｂからマイクロコンピュータ４０に通知する。
【００３４】
ＸＣ／加算部３２は、Ｅ１バイトのクロスコネクトを行うＥ１＿ＸＣカードと、Ｅ２バイトのクロスコネクトを行うＥ２＿ＸＣカードと、Ｅ１バイトのデジタル音声加算を行うカード（多地点通話）と、Ｅ２バイトのデジタル音声加算を行うカード（多地点通話）との４枚が用意されており、このうちの１枚のカードがＥ１／Ｅ２切替え部３６で選択される。
【００３５】
本実施形態では、ＸＣ／加算部３２は音声信号を回線の使用状況に応じてＥ１／Ｅ２バイトの＃１バイトから＃３バイトのいずれかにクロスコネクト制御する。ここで、Ｅ１バイトは例えば中継装置相互間又は中継装置とＡＤＭ装置間のオーダーワイヤに割り当て、Ｅ２バイトはＡＤＭ装置相互間のオーダーワイヤに割り当てており、マイクロコンピュータ４０の制御によってＥ１＿ＸＣカード，Ｅ２＿ＸＣカードはＥ１／Ｅ２バイトの＃１バイトから＃３バイトのうち、使用していないバイトを選択してクロスコネクトする。
【００３６】
マイクロコンピュータ４０ではＯＷ接続ルートテーブルの情報を基にＯＷ回線ルートの確保を常に行っている。
【００３７】
図７にＳＯＮＥＴの同期転送信号ＳＴＳ−３のフレームフォーマットを示す。同図中、ＳＯＨ内のＥ１＃１−３バイト及びＥ２＃１−３バイト（第３のバイト）にオーダーワイヤの音声データを割り当て、Ｆ１＃１−３バイト（第１のバイト）をルート検索パケットデータに割り当て、Ｄ４＃１−３バイト（第２のバイト）を局番呼出しパケットデータに割り当てる。
【００３８】
＜初期設定＞
はじめに伝送装置毎の設定として、各ラインのＥ１／Ｅ２選択をＯＷ接続ルート／呼出し制御部３１，Ｅ１／Ｅ２切替え部３６にマイクロコンピュータ４０から設定し、呼出し機能に使用される局番号設定をリングバックトーン発生部４２にマイクロコンピュータ４０から設定し、呼出し動作設定を呼出し動作部４６にマイクロコンピュータ４０から設定する。
【００３９】
オーダーワイヤを使用するラインはＥ１／Ｅ２バイトをイネーブルに設定し、オーダーワイヤを未使用にするラインはＥ１／Ｅ２バイトをディスエーブルに設定し、電話機３９を常備する伝送装置は局番号設定（装置ＩＤ）を他の伝送装置と同じ番号とならないように個別設定する。また、電話機３９を常備しない局は、ＯＷバイト（Ｅ１／Ｅ２／Ｆ１／Ｄ４）をスルー設定とする。
【００４０】
ＸＣ／加算部３２は、多地点通話とＥ１／Ｅ２バイトのクロスコネクトの選択が可能であるが、以下、Ｅ１／Ｅ２バイトのクロスコネクトを選択するものとして説明する。
【００４１】
＜接続ルート作成＞
発信局（ａ局）の保守者が電話機３９をオフフックすると発信局がマスタとなり、ＯＷ接続ルートテーブル作成を開始する。先ず、マスタ局のマイクロコンピュータ４０が自局の局番（装置ＩＤ），送信するインタフェースの番号（ＩＮＦ  ｎ），送信するインタフェースの状態を表すステータス（ＡＣＴ）をルート検索パケットデータにセットしてＦ１／Ｄ４＃１−３＿ＩＮＳ３１ａに送り、オーバーヘッドバイト多重部３４ａでルート検索パケットデータであるＦ１＃１−３バイトを主信号にマッピング（多重）し、対向局（スレーブ局）に送信する。
【００４２】
図８にルート検索パケットデータのフォーマットを示す。同図中、同期ビットに続いて、マスタ局の装置情報として局番，インタフェース番号，ステータスが格納され、スレーブ局の装置情報として局番，インタフェース番号，ステータスが受信した伝送装置順に格納される。この後にルート終端を示すエンドフラグ（ＥＮＤ）が格納され、最後に誤り検出用のＦＣＳ（Ｆｌａｍｅ  Ｃｈｅｃｋ  Ｓｅｑｕｅｎｃｅ）が格納される。ステータスのＡＣＴは動作状態を示し、ＳＴＢＹは停止状態を示し、ＡＬＭは障害発生状態を示している。
【００４３】
ルート検索パケットデータを受信した伝送装置（ｂ局，ｃ局）は、ＯＷ接続ルート／呼出し制御部３１のＦ１／Ｄ４＃１−３＿ＦＦ３１ｂでＦ１＃１−３バイトを抽出し、マイクロコンピュータ４０に通知する。マイクロコンピュータ４０はルート検索パケットデータのマスタ局の後に、自局の装置情報（局番，インタフェース番号，ステータス）を追加してＦ１／Ｄ４＃１−３＿ＩＮＳ３１ａに送り、オーバーヘッドバイト多重部３４ａでルート検索パケットデータであるＦ１＃１−３バイトを主信号にマッピング（多重）し対向局（スレーブ局）に送信する。
【００４４】
また、終端局（ｄ局）はｃ局の装置情報の次に自局の装置情報（局番，インタフェース番号，ステータス）を追加し、エンドフラグ（ルート終端）を追加してＦ１／Ｄ４＃１−３＿ＩＮＳ３１ａに送り、オーバーヘッドバイト多重部３４ｂでルート検索パケットデータであるＦ１＃１−３バイトを主信号にマッピング（多重）し送信局に返送する。
【００４５】
発信局（ａ局）は終端局（ｄ局）から返送されたルート検索パケットデータのａ局，ｂ局，ｃ局，ｄ局の装置情報を基にＯＷ接続ルートテーブルを作成する。上記のルート検索パケットデータのａ局，ｂ局，ｃ局，ｄ局の装置情報がＯＷ接続ルートテーブルの１エントリ分のレコードとなる。なお、発信局（ａ局）はＯＷ接続ルートテーブル作成中であることを呼出し動作部４６のＬＥＤ（例えば緑色発光）にて保守者に知らせる。
【００４６】
＜ＯＷ接続手順＞
発信局の保守者が電話機３９又は図示しないＮＭＳ（ネットワーク管理システム）から呼出し局（着信局、例えばｄ局）の装置ＩＤ「＃００４」をダイヤルすることで局番呼出し動作を開始する。
【００４７】
電話機３９から送出されたＤＴＭＦコードをＤＴＭＦ受信部４４にて受信し、マイクロコンピュータ４０に通知、又はＮＭＳからマイクロコンピュータ４０に通知する。これにより、ａ局が発信局となり、局番呼出し動作を開始する。マイクロコンピュータ４０の設定によりａ局番とｄ局番を局番呼出しパケットデータにセットしてＦ１／Ｄ４＃１−３＿ＩＮＳ３１ａに送り、オーバーヘッドバイト多重部３４ａで局番呼出しパケットデータであるＤ４＃１−３バイトを主信号にマッピング（多重）しＯＷ接続ルートテーブルに従って対向局に送信する。
【００４８】
図９に局番呼出しパケットデータのフォーマットを示す。同図中、同期ビットに続いて、着信装置ＩＤ（宛先装置）、発信装置ＩＤ（送信元装置）、ステータス（ＣＡＬＬ／ＲＥＳＥＴ，ＡＣＫ／ＢＵＳＹ）、クロスコネクト情報（ＸＣ）が格納される。最後に誤り検出用のＦＣＳが格納される。ステータスのＣＡＬＬは発信局の送信データに付されて呼出しを示し、ＲＥＳＥＴは発信局の送信データに付されて呼出しリセットを示す。ＡＣＫは着信局の送信データに付されて送信許可を示し、ＢＵＳＹは着信局の送信データに付されて話中を示す。
【００４９】
上記の局番呼出しパケットデータを受信したｂ局及びｃ局の伝送装置は、ＯＷ接続ルート／呼出し制御部３１のＦ１／Ｄ４＃１−３＿ＦＦ３１ｂでＤ４＃１−３バイトを抽出し、マイクロコンピュータ４０に通知する。この通知によりマイクロコンピュータ４０で局番一致検出を行うが、局番が異なるのでそのままＦ１／Ｄ４＃１−３＿ＩＮＳ３１ａに送り、オーバーヘッドバイト多重部３４ａでＤ４＃１−３バイトを主信号にマッピングし対向局に送信する。更に、ＸＣ／加算部３２の例えばＥ１＿ＸＣカードにて＃１−＃１のスルー接続を行う。
【００５０】
着信局（ｄ局）はＯＷ接続ルート／呼出し制御部３１のＦ１／Ｄ４＃１−３＿ＦＦ３１ｂでＤ４＃１−３バイトを抽出し、マイクロコンピュータ４０に通知する。この通知によりマイクロコンピュータ４０で局番一致検出を行い、局番一致検出が一致するため、リングバックトーン送出と、保守者の呼出し動作と、ＸＣ／加算部３２の例えばＥ１＿ＸＣカードにて＃１−４Ｗの接続を行う。これと共に、受信した局番呼出しパケットデータのステータスにＡＣＫ（送信許可）を設定してＦ１／Ｄ４＃１−３＿ＩＮＳ３１ａに送り、オーバーヘッドバイト多重部３４ｂでＤ４＃１−３バイトを主信号にマッピングし送信局に返送する。
【００５１】
発信局はこの着信局から返送された局番呼出しパケットデータ（ＡＣＫ）を受信するとＥ１／Ｅ２切替え部３６のＥ１＿ＸＣカードにて４Ｗ−＃１の接続を行う。これにより、音声信号のルートが確保され、発信局は着信局のリングバックトーンが受信可能となる。
【００５２】
また、着信局の保守者が他局と電話中の場合は着信局から受信した局番呼出しパケットデータのステータスにＢＵＳＹが設定されて返送され、発信局の保守者にビジートーンを発音する。
【００５３】
着信局の保守者が呼出し動作に気づいて電話機３９をオフフックすると、呼出し動作が解除され、そして保守者間（ａ局−ｄ局）の通話が可能となる。
【００５４】
図１０に、各伝送装置における保守者呼出し動作の一実施形態を示す。図示のように、接続ルート作成時には、ＬＥＤは緑点滅を行い音声回線（Ｅ１／Ｅ２バイト）は会話不能である。また、保守者呼出し動作時には、ＬＥＤは緑点灯を行い音声回線はリングバックトーンを送る。接続（通話）時には、ＬＥＤは緑点灯を行い音声回線は会話可能である。また、使用中（話中）には、ＬＥＤは緑点灯を行い音声回線はビジートーンを送る。
【００５５】
この後、ｄ局の保守者が電話機３９をオフフックした通話状態における発信局（ａ局）のオーダーワイヤ回路部の様子を図１１に示し、スレーブ局（ｂ局，ｃ局）のオーダーワイヤ回路部の様子を図１２に示し、着信局（ｄ局）のオーダーワイヤ回路部の様子を図１３に示す。図１１乃至図１３では音声の流れを太実線で表している。
【００５６】
図１１では、電話機３９からの音声がＣＯＤＥＣ３３でデジタル化され、ＸＣ／加算部３２の例えばＥ１＿ＸＣカードによる４Ｗ−＃１の接続でオーバーヘッドバイト多重部３４ａに供給されて例えばＥ１＃１バイトに多重される。また、オーバーヘッドバイト多重分離部３５ａでＥ１＃１バイトから分離された音声データはＸＣ／加算部３２のＥ１＿ＸＣカードによる＃１−４Ｗの接続でＣＯＤＥＣ３３に供給され、アナログ化されて電話機３９に供給され発音される。
【００５７】
図１２では、オーバーヘッドバイト多重分離部３５ａ，３５ｂでＥ１＃１バイトから分離された音声データはＸＣ／加算部３２のＥ１＿ＸＣカードによる＃１−＃１のスルー接続でオーバーヘッドバイト多重部３４ａに供給されてＥ１＃１バイトに多重されて送信される。このように、ｂ局，ｃ局ではオーダーワイヤの音声データがスルーされ、従来のようにＣＯＤＥＣ３３でＤＡ変換され、アナログ加算されたのちＡＤ変換されることはない。このため、ＡＤ変換を繰り返すことによる量子化雑音の累積で音質が劣化することを防止できる。
【００５８】
図１３では、オーバーヘッドバイト多重分離部３５ｂでＥ１＃１バイトから分離された音声データはＸＣ／加算部３２のＥ１＿ＸＣカードによる＃１−４Ｗの接続でＣＯＤＥＣ３３に供給され、アナログ化されて電話機３９に供給され発音される。また、電話機３９からの音声がＣＯＤＥＣ３３でデジタル化され、ＸＣ／加算部３２のＥ１＿ＸＣカードによる４Ｗ−＃１の接続でオーバーヘッドバイト多重部３４ａに供給されてＥ１＃１バイトに多重される。
【００５９】
＜同一回線上での複数通話＞
次に、同一回線上で混信を回避して複数通話を可能にする動作について説明する。ａ局−ｄ局間の保守者がオーダーワイヤ回線（Ｅ１＃１バイト）を使用している時に、ｂ局−ｃ局の保守者がオーダーワイヤ回線を使用する場合について説明する。
【００６０】
発信局（ｂ局）の保守者が電話機３９（プッシュホン）をオフフックすると、発信局がマスタとなり、ＯＷ接続ルートテーブル作成を開始する。先ず、マスタ局のマイクロコンピュータ４０が自局の局番（装置ＩＤ），インタフェース番号（ＩＮＦ  ｎ），ステータス（ＡＣＴ）をルート検索パケットデータにセットしてＦ１＃１−３バイトに挿入し、両側の対向局（スレーブ局）に送る。
【００６１】
ルート検索パケットデータを受信したａ局は、終端局なのでｂ局の装置情報の次に自局の装置情報（局番，インタフェース番号，ステータス）を追加し、エンドフラグ（ルート終端）を追加して送信局（ｂ局）に返送する。
【００６２】
ルート検索パケットデータを受信したｃ局は、ｂ局の装置情報の次に自局の装置情報（局番，インタフェース番号，ステータス）を追加して対向局（ｄ局）に送る。
【００６３】
ルート検索パケットデータを受信したｄ局は、終端局なのでｃ局の装置情報の次に自局の装置情報（局番，インタフェース番号，ステータス）を追加し、エンドフラグ（ルート終端）を追加して送信局（ｂ局）に返送する。
【００６４】
発信局（ｂ局）は、ａ局から返送されたルート検索パケットデータと、ｄ局から返送されたルート検索パケットデータを基にＯＷ接続ルートテーブルを作成する。ＯＷ接続ルートテーブル作成中はＬＥＤにて保守者に知らせる。
【００６５】
発信局（ｂ局）の保守者が電話機３９又はＮＭＳにから呼出し局（ｃ局）の装置ＩＤ「＃００３」をダイヤルすることで局番呼出し動作を開始する。発信局は自局の局番（ｂ局番）と着信局番（ｃ局番）を局番呼出しパケットデータにセットし、Ｄ４＃１−３バイトに多重し、ＯＷ接続ルートテーブルに従って対向局（ｃ局）に送る。
【００６６】
着信局（ｃ局）は局番一致検出が一致したため、リングバックトーン送出と、保守者の呼出し動作と、ＸＣ／加算部３２のＥ１＿ＸＣカードにて＃２−４Ｗの接続を行う。ここで、＃２−４Ｗの接続を行うのはＥ１＃１バイトが既にａ局−ｄ局間のオーダーワイヤに使用されており、Ｅ１＃２バイトが使用されていないためである。
【００６７】
更に、受信した局番呼出しパケットデータのステータスにＡＣＫ（送信許可）をセットし、Ｄ４＃１−３バイトに多重し送信局（ｂ局）に返送する。
【００６８】
発信局（ｂ局）は返送された局番呼出しパケットデータ（ステータス＝ＡＣＫ）を受信するとＸＣ／加算部３２のＥ１＿ＸＣカードにて＃２−４Ｗの接続を行う。これにより音声信号のルートが確保され、着信局のリングバックトーンが受信できるようになる。着信局の保守者は呼出し動作に気づき電話機３９をオフフックすると、呼出し動作が解除され、保守者間（ｂ局−ｃ局）の通話が可能となる。
【００６９】
この後、ｃ局の保守者が電話機３９をオフフックした状態における発信局（ｂ局）のオーダーワイヤ回路部の様子を図１４に示し、着信局（ｃ）のオーダーワイヤ回路部の様子を図１５に示す。図１４、図１５では音声の流れを太実線で表している。
【００７０】
図１４では、電話機３９からの音声がＣＯＤＥＣ３３でデジタル化され、ＸＣ／加算部３２の例えばＥ１＿ＸＣカードによる４Ｗ−＃２の接続でオーバーヘッドバイト多重部３４ａに供給されて例えばＥ１＃２バイトに多重される。また、オーバーヘッドバイト多重分離部３５ａでＥ１＃２バイトから分離された音声データはＸＣ／加算部３２のＥ１＿ＸＣカードによる＃２−４Ｗの接続でＣＯＤＥＣ３３に供給され、アナログ化されて電話機３９に供給され発音される。なお、図１２と同様に、オーバーヘッドバイト多重分離部３５ａ，３５ｂでＥ１＃１バイトから分離された音声データはＸＣ／加算部３２のＥ１＿ＸＣカードによる＃１−＃１のスルー接続でオーバーヘッドバイト多重部３４ａに供給されてＥ１＃１バイトに多重されて送信される。
【００７１】
図１５では、オーバーヘッドバイト多重分離部３５ｂでＥ１＃２バイトから分離された音声データはＸＣ／加算部３２のＥ１＿ＸＣカードによる＃２−４Ｗの接続でＣＯＤＥＣ３３に供給され、アナログ化されて電話機３９に供給され発音される。また、電話機３９からの音声がＣＯＤＥＣ３３でデジタル化され、ＸＣ／加算部３２のＥ１＿ＸＣカードによる４Ｗ−＃２の接続でオーバーヘッドバイト多重部３４ａに供給されてＥ１＃２バイトに多重される。なお、図１２と同様に、オーバーヘッドバイト多重分離部３５ａ，３５ｂでＥ１＃１バイトから分離された音声データはＸＣ／加算部３２のＥ１＿ＸＣカードによる＃１−＃１のスルー接続でオーバーヘッドバイト多重部３４ａに供給されてＥ１＃１バイトに多重されて送信される。
【００７２】
このようにして、同一回線上（同一ライン）で複数の保守者間通話（ポイント・ツー・ポイント）が可能となる。
【００７３】
＜リングプロテクション機能及びリングリストア機能＞
図１６はメッシュ構成のオーダーワイヤネットワークの一実施形態の構成図を示す。図１６（Ａ）に示すネットワークは、装置ＩＤが００１〜００９の伝送装置によりメッシュ状に構成されている。ここで、太矢印で示す局を発信局（マスタ局）とする。各局の伝送装置は図１６（Ｂ）に示すように、右側に向いたインタフェースＩＮＦ１、下側に向いたインタフェースＩＮＦ２、左側に向いたインタフェースＩＮＦ３、上側に向いたインタフェースＩＮＦ４の全部又は一部を有し、中央に装置ＩＤを示している。
【００７４】
図１６（Ａ）において、発信局（装置ＩＤ＝００１）は、インタフェースＩＮＦ１のＦ１／Ｄ４＃１−３＿ＩＮＳ３１ａとインタフェースＩＮＦ２のＦ１／Ｄ４＃１−３＿ＩＮＳ３１ａそれぞれに自局の局番（装置ＩＤ），インタフェース番号（ＩＮＦ  ｎ），ステータス（ＡＣＴ）を持つルート検索パケットデータを設定し、Ｆ１＃１−３バイトに多重してライン＃１と＃３に出力する。
【００７５】
局（装置ＩＤ＝００２）は、ＩＮＦ３のＦ１／Ｄ４＃１−３＿ＦＦ３１ｂにてルート検索パケットデータを抽出しマイクロコンピュータ４０に通知する。マイクロコンピュータ４０はＩＮＦ３を受信ＩＮＦと確定し、自局の装置情報（局番，インタフェース番号，ステータス）を追記したルート検索パケットデータを、受信ＩＮＦ以外のＩＮＦであるＩＮＦ１のＦ１／Ｄ４＃１−３＿ＩＮＳ３１ａとＩＮＦ２のＦ１／Ｄ４＃１−３＿ＩＮＳ３１ａそれぞれに設定し、ライン＃２とライン＃４に出力する。
【００７６】
局（装置ＩＤ＝００４）は、ＩＮＦ４のＦ１／Ｄ４＃１−３＿ＦＦ３１ｂにてパケットデータを抽出しマイクロコンピュータ４０に通知する。マイクロコンピュータ４０はＩＮＦ４を受信ＩＮＦと確定し、自局の装置情報（局番，インタフェース番号，ステータス）を追記したルート検索パケットデータを受信ＩＮＦ以外のＩＮＦであるＩＮＦ１のＦ１／Ｄ４＃１−３＿ＩＮＳ３１ａとＩＮＦ２のＦ１／Ｄ４＃１−３＿ＩＮＳ３１ａそれぞれに設定し、ライン＃６とライン＃８に出力する。
【００７７】
局（装置ＩＤ＝００３）は、ＩＮＦ４のＦ１／Ｄ４＃１−３＿ＦＦ３１ｂにてパケットデータを抽出しマイクロコンピュータ４０に通知する。マイクロコンピュータ４０はＩＮＦ３を受信ＩＮＦと確定し、自局の装置情報（局番，インタフェース番号，ステータス）を追記したルート検索パケットデータを受信ＩＮＦ以外のＩＮＦであるＩＮＦ２のＦ１／Ｄ４＃１−３＿ＩＮＳ３１ａに設定し、ライン＃５に出力する。
【００７８】
局（装置ＩＤ＝００５）は、ＩＮＦ３とＩＮＦ４のＦ１／Ｄ４＃１−３＿ＦＦ３１ｂにてパケットデータを抽出しマイクロコンピュータ４０に通知する。マイクロコンピュータ４０はＩＮＦ３，ＩＮＦ４それぞれのステータスが同一であれば、先着優先として例えばＩＮＦ３を受信ＩＮＦと確定する。後着のＩＮＦ４については、マイクロコンピュータ４０は自局の装置情報（局番＝００５，インタフェース番号＝ＩＮＦ４，ステータス＝ＳＴＢＹ）及びエンドフラグ（ルート終端）を追記したルート検索パケットデータをＩＮＦ４のＦ１／Ｄ４＃１−３＿ＩＮＳ３１ａに設定し、ライン＃４に出力する。このエンドフラグを持つルート検索パケットデータは局（装置ＩＤ＝００２）を経由して局（装置ＩＤ＝００１）に送信される。同じく、局（装置ＩＤ＝００２）のＩＮＦ２から送信されるエンドフラグを持つルート検索パケットデータは局（装置ＩＤ＝００５），局（装置ＩＤ＝００４）を経由され局（装置ＩＤ＝００１）に送信される。
【００７９】
また、局（装置ＩＤ＝００５）のマイクロコンピュータ４０は、自局の装置情報（局番，インタフェース番号，ステータス）を追記したルート検索パケットデータをＩＮＦ３，ＩＮＦ４以外のＩＮＦ１のＦ１／Ｄ４＃１−３＿ＩＮＳ３１ａとＩＮＦ２のＦ１／Ｄ４＃１−３＿ＩＮＳ３１ａそれぞれに設定し、ライン＃７とライン＃９に出力する。
【００８０】
局（装置ＩＤ＝００７）は、ＩＮＦ４のＦ１／Ｄ４＃１−３＿ＦＦ３１ｂにてパケットデータを抽出しマイクロコンピュータ４０に通知する。マイクロコンピュータ４０はＩＮＦ４を受信ＩＮＦと確定し、自局の装置情報（局番，インタフェース番号，ステータス）を追記したルート検索パケットデータを受信ＩＮＦ以外のＩＮＦであるＩＮＦ１のＦ１／Ｄ４＃１−３＿ＩＮＳ３１ａに設定し、ライン＃１１に出力する。
【００８１】
局（装置ＩＤ＝００６）は、ＩＮＦ３とＩＮＦ４のＦ１／Ｄ４＃１−３＿ＦＦ３１ｂにてパケットデータを抽出しマイクロコンピュータ４０に通知する。マイクロコンピュータ４０はＩＮＦ３，ＩＮＦ４それぞれのステータスが同一であれば、先着優先として例えばＩＮＦ３を受信ＩＮＦと確定する。後着のＩＮＦ４については、マイクロコンピュータ４０は自局の装置情報（局番＝００６，インタフェース番号＝ＩＮＦ４，ステータス＝ＳＴＢＹ）及びエンドフラグ（ルート終端）を追記したルート検索パケットデータをＩＮＦ４のＦ１／Ｄ４＃１−３＿ＩＮＳ３１ａに設定し、ライン＃５に出力する。このエンドフラグを持つルート検索パケットデータは局（装置ＩＤ＝００３），局（装置ＩＤ＝００２）を経由して局（装置ＩＤ＝００１）に送信される。同じく、局（装置ＩＤ＝００３）のＩＮＦ２から送信されるエンドフラグを持つルート検索パケットデータは局（装置ＩＤ＝００６），局（装置ＩＤ＝００５），局（装置ＩＤ＝００４）を経由され局（装置ＩＤ＝００１）に送信される。
【００８２】
また、局（装置ＩＤ＝００６）のマイクロコンピュータ４０は、自局の装置情報（局番，インタフェース番号，ステータス）を追記したルート検索パケットデータをＩＮＦ３，ＩＮＦ４以外のＩＮＦ２のＦ１／Ｄ４＃１−３＿ＩＮＳ３１ａに設定し、ライン＃１０に出力する。
【００８３】
局（装置ＩＤ＝００８）は、ＩＮＦ３とＩＮＦ４のＦ１／Ｄ４＃１−３＿ＦＦ３１ｂにてパケットデータを抽出しマイクロコンピュータ４０に通知する。マイクロコンピュータ４０はＩＮＦ３，ＩＮＦ４それぞれのステータスが同一であれば、先着優先として例えばＩＮＦ３を受信ＩＮＦと確定する。後着のＩＮＦ４については、マイクロコンピュータ４０は自局の装置情報（局番＝００８，インタフェース番号＝ＩＮＦ４，ステータス＝ＳＴＢＹ）及びエンドフラグ（ルート終端）を追記したルート検索パケットデータをＩＮＦ４のＦ１／Ｄ４＃１−３＿ＩＮＳ３１ａに設定し、ライン＃９に出力する。このエンドフラグを持つルート検索パケットデータは局（装置ＩＤ＝００５），局（装置ＩＤ＝００４）を経由して局（装置ＩＤ＝００１）に送信される。同じく、局（装置ＩＤ＝００５）のＩＮＦ２から送信されるエンドフラグを持つルート検索パケットデータは局（装置ＩＤ＝００８），局（装置ＩＤ＝００７），局（装置ＩＤ＝００４）を経由され局（装置ＩＤ＝００１）に送信される。
【００８４】
また、局（装置ＩＤ＝００８）のマイクロコンピュータ４０は、自局の装置情報（局番，インタフェース番号，ステータス）を追記したルート検索パケットデータをＩＮＦ３，ＩＮＦ４以外のＩＮＦ１のＦ１／Ｄ４＃１−３＿ＩＮＳ３１ａに設定し、ライン＃１２に出力する。
【００８５】
局（装置ＩＤ＝００９）は、ＩＮＦ３とＩＮＦ４のＦ１／Ｄ４＃１−３＿ＦＦ３１ｂにてパケットデータを抽出しマイクロコンピュータ４０に通知する。マイクロコンピュータ４０はＩＮＦ３，ＩＮＦ４それぞれのステータスが同一であれば、先着優先として例えばＩＮＦ３を受信ＩＮＦと確定する。後着のＩＮＦ４については、マイクロコンピュータ４０は自局の装置情報（局番＝００９，インタフェース番号＝ＩＮＦ４，ステータス＝ＳＴＢＹ）及びエンドフラグ（ルート終端）を追記したルート検索パケットデータをＩＮＦ４のＦ１／Ｄ４＃１−３＿ＩＮＳ３１ａに設定し、ライン＃１０に出力する。このエンドフラグを持つルート検索パケットデータは局（装置ＩＤ＝００６），局（装置ＩＤ＝００５），局（装置ＩＤ＝００４）を経由して局（装置ＩＤ＝００１）に送信される。同じく、局（装置ＩＤ＝００６）のＩＮＦ２から送信されるエンドフラグを持つルート検索パケットデータは局（装置ＩＤ＝００９），局（装置ＩＤ＝００８），局（装置ＩＤ＝００７），局（装置ＩＤ＝００４）を経由され局（装置ＩＤ＝００１）に送信される。
【００８６】
マスタ局（装置ＩＤ＝００１）のマイクロコンピュータ４０は、上記のエンドフラグを持つ複数のルート検索パケットデータを受信し、図１７に示すようなＯＷ接続ルートテーブルを作成する。図１７においては、装置ＩＤが００１，００２，００３の各局を通る第１ルート、装置ＩＤが００１，００４，００５，００６の各局を通る第２ルート、装置ＩＤが００１，００４，００７，００８，００９の各局を通る第３ルートを有している。これらの第１〜第３ルートは全てループを形成しておらず、このため、ハウリングが発生することはない。
【００８７】
図１８は発信局以外の各局の伝送装置のマイクロコンピュータ４０が実行するルート検索処理の一実施形態のフローチャートを示す。ステップＳ１で、先着優先によりルート検索パケットデータの受信インタフェースを先着優先で確定する。
【００８８】
ステップＳ２で、受信ＩＮＦと確定されなかったがルート検索パケットデータを受信した後着のインタフェースの装置情報（局番，後着のＩＮＦのインタフェース番号，ＳＴＢＹ）とエンドフラグ（ルート終端）を追記したルート検索パケットデータを後着のインタフェースから発信局に返送する。
【００８９】
ステップＳ３では、障害のあるインタフェースがある場合にのみ、アラームが検出されたインタフェースの装置情報（局番，ＡＬＭのＩＮＦのインタフェース番号，ＡＬＭ）とエンドフラグ（ルート終端）を受信したルート検索パケットデータに追記し、確定した受信インタフェースから発信局に返送する。
【００９０】
ステップＳ４で、ルート検索パケットデータを受信しておらず、かつ、ステータス＝ＡＣＴのインタフェースの装置情報（局番，ＡＣＴのＩＮＦのインタフェース番号，ＡＣＴ）を追記したルート検索パケットデータを当該ステータス＝ＡＣＴのインタフェースから対向局に送信する。
【００９１】
ステップＳ５で、ルート検索パケットデータを送信したインタフェースに、エンドフラグ（ルート終端）を追記したルート検索パケットデータが返送されると、当該インタフェースのステータスをＳＴＢＹに変更する。
【００９２】
＜障害発生時の救済動作＞
次に、図１９に示すように、装置ＩＤ＝００５の局と装置ＩＤ＝００６の局の間のライン＃７に障害が発生した場合について説明する。
【００９３】
局（装置ＩＤ＝００５）のＩＮＦ１のステータスはＡＬＭとなり、マイクロコンピュータ４０はＩＮＦ１のアラームを通知するために、ステータス＝ＡＬＭを持つパケットデータをＩＮＦ４のＦ１／Ｄ４＃１−３＿ＩＮＳ３１ａに設定し、ライン＃４に出力する。このアラーム通知パケットデータは局（装置ＩＤ＝００５），局（装置ＩＤ＝００４）を経由され局（装置ＩＤ＝００１）に送信される。
【００９４】
発信局（装置ＩＤ＝００１）は、このアラーム通知パケットデータのステータス情報を基に、インタフェースＩＮＦ１のＦ１／Ｄ４＃１−３＿ＩＮＳ３１ａとインタフェースＩＮＦ２のＦ１／Ｄ４＃１−３＿ＩＮＳ３１ａに自局の局番（装置ＩＤ），インタフェース番号（ＩＮＦ  ｎ），ステータス（ＡＣＴ）を持つルート検索パケットデータを設定し、Ｆ１＃１−３バイトに多重してライン＃１と＃３に出力する。
【００９５】
局（装置ＩＤ＝００２）は、ＩＮＦ３のＦ１／Ｄ４＃１−３＿ＦＦ３１ｂにてパケットデータを抽出しマイクロコンピュータ４０に通知する。マイクロコンピュータ４０はＩＮＦ３を受信ＩＮＦと確定し、自局の装置情報（局番，インタフェース番号，ステータス）を追記したルート検索パケットデータを受信ＩＮＦ以外のＩＮＦであるＩＮＦ１のＦ１／Ｄ４＃１−３＿ＩＮＳ３１ａとＩＮＦ２のＦ１／Ｄ４＃１−３＿ＩＮＳ３１ａそれぞれに設定し、ライン＃２とライン＃４に出力する。
【００９６】
局（装置ＩＤ＝００４）は、ＩＮＦ４のＦ１／Ｄ４＃１−３＿ＦＦ３１ｂにてパケットデータを抽出しマイクロコンピュータ４０に通知する。マイクロコンピュータ４０はＩＮＦ４を受信ＩＮＦと確定し、自局の装置情報（局番，インタフェース番号，ステータス）を追記したルート検索パケットデータを受信ＩＮＦ以外のＩＮＦであるＩＮＦ１のＦ１／Ｄ４＃１−３＿ＩＮＳ３１ａとＩＮＦ２のＦ１／Ｄ４＃１−３＿ＩＮＳ３１ａそれぞれに設定し、ライン＃６とライン＃８に出力する。
【００９７】
局（装置ＩＤ＝００３）は、ＩＮＦ４のＦ１／Ｄ４＃１−３＿ＦＦ３１ｂにてパケットデータを抽出しマイクロコンピュータ４０に通知する。マイクロコンピュータ４０はＩＮＦ３を受信ＩＮＦと確定し、自局の装置情報（局番，インタフェース番号，ステータス）を追記したルート検索パケットデータを受信ＩＮＦ以外のＩＮＦであるＩＮＦ２のＦ１／Ｄ４＃１−３＿ＩＮＳ３１ａに設定し、ライン＃５に出力する。
【００９８】
局（装置ＩＤ＝００５）は、ＩＮＦ３とＩＮＦ４のＦ１／Ｄ４＃１−３＿ＦＦ３１ｂにてパケットデータを抽出しマイクロコンピュータ４０に通知する。マイクロコンピュータ４０はＩＮＦ３，ＩＮＦ４それぞれのステータスが同一であれば、先着優先として例えばＩＮＦ３を受信ＩＮＦと確定する。後着のＩＮＦ４については、マイクロコンピュータ４０は自局の装置情報（局番＝００５，インタフェース番号＝ＩＮＦ４，ステータス＝ＳＴＢＹ）及びエンドフラグ（ルート終端）を追記したルート検索パケットデータをＩＮＦ４のＦ１／Ｄ４＃１−３＿ＩＮＳ３１ａに設定し、ライン＃４に出力する。このエンドフラグを持つルート検索パケットデータは局（装置ＩＤ＝００２）を経由して局（装置ＩＤ＝００１）に送信される。同じく、局（装置ＩＤ＝００２）のＩＮＦ２から送信されるエンドフラグを持つルート検索パケットデータは局（装置ＩＤ＝００５），局（装置ＩＤ＝００４）を経由され局（装置ＩＤ＝００１）に送信される。
【００９９】
また、（装置ＩＤ＝００５）のマイクロコンピュータ４０は、ＩＮＦ１の装置情報（局番＝００５，インタフェース番号＝ＩＮＦ１，ステータス＝ＡＬＭ）及びエンドフラグ（ルート終端）を持つルート検索パケットデータを受信ＩＮＦ３のＦ１／Ｄ４＃１−３＿ＩＮＳ３１ａに設定し、ライン＃６に出力する。このエンドフラグを持つステータス＝ＡＬＭのルート検索パケットデータは局（装置ＩＤ＝００５），局（装置ＩＤ＝００４）を経由され局（装置ＩＤ＝００１）に送信される。
【０１００】
また、局（装置ＩＤ＝００５）のマイクロコンピュータ４０は、自局の装置情報（局番，インタフェース番号，ステータス）を追記したルート検索パケットデータを上記以外のＩＮＦであるＩＮＦ２のＦ１／Ｄ４＃１−３＿ＩＮＳ３１ａに設定して、ライン＃９に出力する。
【０１０１】
局（装置ＩＤ＝００７）は、ＩＮＦ４のＦ１／Ｄ４＃１−３＿ＦＦ３１ｂにてパケットデータを抽出しマイクロコンピュータ４０に通知する。マイクロコンピュータ４０はＩＮＦ４を受信ＩＮＦと確定し、自局の装置情報（局番，インタフェース番号，ステータス）を追記したルート検索パケットデータを受信ＩＮＦ以外のＩＮＦであるＩＮＦ１のＦ１／Ｄ４＃１−３＿ＩＮＳ３１ａに設定し、ライン＃１１に出力する。
【０１０２】
局（装置ＩＤ＝００６）は、ＩＮＦ４のＦ１／Ｄ４＃１−３＿ＦＦ３１ｂにてパケットデータを抽出しマイクロコンピュータ４０に通知する。マイクロコンピュータ４０はＩＮＦ４を受信ＩＮＦと確定し、自局の装置情報（局番，インタフェース番号，ステータス）を追記したルート検索パケットデータを受信ＩＮＦ以外のＩＮＦであるＩＮＦ２のＦ１／Ｄ４＃１−３＿ＩＮＳ３１ａに設定し、ライン＃１０に出力する。
【０１０３】
また、局（装置ＩＤ＝００６）のマイクロコンピュータ４０はＩＮＦ３の装置情報（局番＝００５，インタフェース番号＝ＩＮＦ１，ステータス＝ＡＬＭ）及びエンドフラグ（ルート終端）を持つルート検索パケットデータをＩＮＦ４のＦ１／Ｄ４＃１−３＿ＩＮＳ３１ａに設定し、ライン＃５に出力する。このエンドフラグを持つステータス＝ＡＬＭのルート検索パケットデータは局（装置ＩＤ＝００３），局（装置ＩＤ＝００２）を経由され局（装置ＩＤ＝００１）に送信される。
【０１０４】
また、局（装置ＩＤ＝００６）のマイクロコンピュータ４０は、自局の装置情報（局番，インタフェース番号，ステータス）を追記したルート検索パケットデータを上記以外のＩＮＦであるＩＮＦ２のＦ１／Ｄ４＃１−３＿ＩＮＳ３１ａに設定して、ライン＃１０に出力する。
【０１０５】
局（装置ＩＤ＝００８）は、ＩＮＦ３とＩＮＦ４のＦ１／Ｄ４＃１−３＿ＦＦ３１ｂにてパケットデータを抽出しマイクロコンピュータ４０に通知する。マイクロコンピュータ４０はＩＮＦ３，ＩＮＦ４それぞれのステータスが同一であれば、先着優先として例えばＩＮＦ３を受信ＩＮＦと確定する。後着のＩＮＦ４については、マイクロコンピュータ４０は自局の装置情報（局番＝００８，インタフェース番号＝ＩＮＦ４，ステータス＝ＳＴＢＹ）及びエンドフラグ（ルート終端）を追記したルート検索パケットデータをＩＮＦ４のＦ１／Ｄ４＃１−３＿ＩＮＳ３１ａに設定し、ライン＃９に出力する。このエンドフラグを持つルート検索パケットデータは局（装置ＩＤ＝００５），局（装置ＩＤ＝００４）を経由して局（装置ＩＤ＝００１）に送信される。同じく、局（装置ＩＤ＝００５）のＩＮＦ２から送信されるエンドフラグを持つルート検索パケットデータは局（装置ＩＤ＝００８），局（装置ＩＤ＝００７），局（装置ＩＤ＝００４）を経由され局（装置ＩＤ＝００１）に送信される。
【０１０６】
また、局（装置ＩＤ＝００８）のマイクロコンピュータ４０は、自局の装置情報（局番，インタフェース番号，ステータス）を追記したルート検索パケットデータを上記以外のＩＮＦであるＩＮＦ１のＦ１／Ｄ４＃１−３＿ＩＮＳ３１ａに設定し、ライン＃１０に出力する。
【０１０７】
局（装置ＩＤ＝００９）は、ＩＮＦ３とＩＮＦ４のＦ１／Ｄ４＃１−３＿ＦＦ３１ｂにてパケットデータを抽出しマイクロコンピュータ４０に通知する。マイクロコンピュータ４０はＩＮＦ３，ＩＮＦ４それぞれのステータスが同一であれば、先着優先として例えばＩＮＦ３を受信ＩＮＦと確定する。後着のＩＮＦ４については、マイクロコンピュータ４０は自局の装置情報（局番＝００９，インタフェース番号＝ＩＮＦ４，ステータス＝ＳＴＢＹ）及びエンドフラグ（ルート終端）を追記したルート検索パケットデータをＩＮＦ４のＦ１／Ｄ４＃１−３＿ＩＮＳ３１ａに設定し、ライン＃１０に出力する。このエンドフラグを持つルート検索パケットデータは局（装置ＩＤ＝００６），局（装置ＩＤ＝００３），局（装置ＩＤ＝００２）を経由して局（装置ＩＤ＝００１）に送信される。同じく、局（装置ＩＤ＝００６）のＩＮＦ２から送信されるエンドフラグを持つルート検索パケットデータは局（装置ＩＤ＝００９），局（装置ＩＤ＝００８），局（装置ＩＤ＝００７），局（装置ＩＤ＝００４）を経由され局（装置ＩＤ＝００１）に送信される。
【０１０８】
マスタ局（装置ＩＤ＝００１）のマイクロコンピュータ４０は、上記のエンドフラグを持つルート検索パケットデータを受信し、図２０に示すようなＯＷ接続ルートテーブルを作成する。図２０においては、装置ＩＤが００１，００２，００３，００６の各局を通る第１ルート、装置ＩＤが００１，００４，００５の各局を通る第２ルート、装置ＩＤが００１，００４，００７，００８，００９の各局を通る第３ルートを有している。これらの第１〜第３ルートは全てループを形成しておらず、このため、ハウリングが発生することはない。
【０１０９】
このようにして、ライン＃７に障害が発生した場合は、図１７のＯＷ接続ルートテーブルから自動的に図２０のＯＷ接続ルートテーブルに変更することができる。
【０１１０】
＜デュアルリング構成時のリングプロテクション機能及びリングリストア機能＞
図２１はデュアルリング構成のオーダーワイヤネットワークの一実施形態の構成図を示す。また、太矢印で示す局を発信局とする。
【０１１１】
発信局（伝送装置ＮＥ１）の伝送装置がマスタ局と成り、自局の装置情報（自局の局番，インタフェース番号，ステータス）をＦ１＃１−３バイトに挿入したルート検索パケットデータを全出力ポートから出力する。
【０１１２】
ルート検索パケットデータを受信した伝送装置は自局の装置情報を追加し、受信ＩＮＦ以外の全出力ポートから送信する。複数のＩＮＦからルート検索パケットデータを同時に受信した伝送装置は受信ＩＮＦにアラームがなければ先着優先とし、受信ＩＮＦを決める。そして自局の装置情報を追加し、受信ＩＮＦ以外の全出力ポートから送信する。
【０１１３】
転送先がなくなった伝送装置はエンドフラグを追加したルート検索パケットデータを検索されたルートを逆順に辿りマスタ局に返送する。
【０１１４】
マスタ局（伝送装置ＮＥ１）は返送情報を基に図２２に示すＯＷ接続ルートテーブルを作成する。ＯＷ接続ルートテーブルにおいて、ステータス＝ＡＣＴとなっているルートがハウリングの起きないオーダーワイヤ回線（呼出しパケット回線／音声回線）ルートとなる。図２２においては、装置ＩＤが００１，００２，００５，００６の各局を通る第１ルート、装置ＩＤが００１，００４，００３，００８，００７の各局を通る第２ルートを有している。
【０１１５】
また、ルート検索パケットデータの送信は保守者が通話中にも定期的に行ってＯＷ接続ルートテーブルを更新し、ＯＷ回線ルートを常に確保する。
【０１１６】
ここで、図２３に示すように、局（ＮＥ２）と局（ＮＥ５）を接続するラインで回線障害が発生した場合、局（ＮＥ２）のアラーム情報に基づいて発信局（ＮＥ１）が起点となり、ＯＷ接続ルートテーブルの再作成を行う。
【０１１７】
これによって、マスタ局（ＮＥ１）は返送情報を基に図２４に示すＯＷ接続ルートテーブルを作成する。図２４においては、装置ＩＤが００１，００２の各局を通る第１ルート、装置ＩＤが００１，００４，００３，００８，００７の各局を通る第２ルート、装置ＩＤが００１，００４，００３，００８，００５，００６の各局を通る第３ルートを有している。
【０１１８】
すなわち、局（ＮＥ２）と局（ＮＥ５）を接続するラインの回線障害により孤立していた局（ＮＥ５）について、図２２では局（ＮＥ８）のＩＮＦ４と局（ＮＥ５）のＩＮＦ２との間のステータス＝ＳＴＢＹとなっていたのを、図２４では局（ＮＥ８）のＩＮＦ４と局（ＮＥ５）のＩＮＦ２との間のステータス＝ＡＣＴに変更することができ、孤立していた局（ＮＥ５）を自動救済することができる。
【０１１９】
＜その他の構成＞
図２５はリニア構成のオーダーワイヤネットワークの一実施形態の構成図を示す。また、太矢印で示す局を発信局とする。すなわち、装置ＩＤが００１，００２，００３，００４の局がリニアに接続されている。この場合、発信局（装置ＩＤ＝００１）は、スレーブ局（装置ＩＤ＝００４）から返送されるルート検索パケットデータを基に図２６に示すＯＷ接続ルートテーブルを作成する。
【０１２０】
図２７はライン冗長構成のオーダーワイヤネットワークの一実施形態の構成図を示す。また、太矢印で示す局を発信局とする。すなわち、装置ＩＤが００１，００２の局がＩＮＦ１を０系、ＩＮＦ２を１系として接続されている。この場合、発信局（装置ＩＤ＝００１）は、スレーブ局（装置ＩＤ＝００２）から返送されるルート検索パケットデータを基に図２８に示すＯＷ接続ルートテーブルを作成する。なお、スレーブ局（装置ＩＤ＝００２）はＩＮＦ１，ＩＮＦ２のうち先にルート検索パケットデータ受信したＩＮＦ１をＡＣＴつまり０系（現用系）とし、後にルート検索パケットデータ受信したＩＮＦ２をＳＴＢＹつまり１系（予備系）とする。
【０１２１】
図２９はＲＥＧ構成のオーダーワイヤネットワークの一実施形態の構成図を示す。また、太矢印で示す局を発信局とする。すなわち、装置ＩＤが００１，００４の伝送装置を持つａ局とｄ局との間に、装置ＩＤが００２，００３の中継装置を持つｂ局とｃ局が設けられたＲＥＧ構成である。この場合、発信局（装置ＩＤ＝００１）は、スレーブ局（装置ＩＤ＝００４）から返送されるルート検索パケットデータを基に図３０に示すＯＷ接続ルートテーブルを作成する。図３０においては、装置ＩＤ＝００１のＩＮＦ３と、装置ＩＤ＝００４のＩＮＦ２，ＩＮＦ３がＳＴＢＹとなる。これにより、装置ＩＤ＝００１のＩＮＦ１側が０系（現用系）となり、装置ＩＤ＝００１のＩＮＦ２側が１系（予備系）となる。
【０１２２】
図３１はＵＰＳＲ（Ｕｎｉｄｉｒｅｃｔｉｏｎａｌ  Ｐａｔｈ  Ｓｗｉｔｃｈｅｄ  Ｒｉｎｇ）構成のオーダーワイヤネットワークの一実施形態の構成図を示す。また、太太矢印で示す局を発信局とする。すなわち、装置ＩＤが００１，００２，００３，００４の局がリング状に接続されている。この場合、発信局（装置ＩＤ＝００１）は、スレーブ局（装置ＩＤ＝００３）から返送されるルート検索パケットデータを基に図３２に示すＯＷ接続ルートテーブルを作成する。
【０１２３】
図３３はＢＬＳＲ（Ｂｉｄｉｒｅｃｔｉｏｎａｌ  Ｌｉｎｅ  Ｓｗｉｔｃｈｅｄ  Ｒｉｎｇ）構成のオーダーワイヤネットワークの一実施形態の構成図を示す。また、太太矢印で示す局を発信局とする。すなわち、装置ＩＤが００１，００２，００３，００４の局がリング状に接続されている。この場合、発信局（装置ＩＤ＝００１）は、スレーブ局（装置ＩＤ＝００３）から返送されるルート検索パケットデータを基に図３４に示すＯＷ接続ルートテーブルを作成する。
（付記１）
同期網を構成する伝送装置間で通話を行うオーダーワイヤ制御方法において、
発信局の伝送装置は、自局の装置情報を設定したルート検索パケットデータを同期転送信号のオーバーヘッドの第１のバイトにて送信し、
前記ルート検索パケットデータを受信した伝送装置は、送信先がある場合に受信したルート検索パケットデータに自局の装置情報を追加して送信し、送信先がない場合に受信したルート検索パケットデータに自局の装置情報と終端情報を追加して前記発信局に返送し、
発信局の伝送装置は、前記終端の伝送装置から返送されたルート検索パケットデータに設定された複数の伝送装置の装置情報を基にオーダーワイヤ接続ルートテーブルを作成し、
発信局の伝送装置は、着信局の伝送装置宛の局番呼出しパケットデータを同期転送信号のオーバーヘッドの第２のバイトにて前記オーダーワイヤ接続ルートテーブルに基づいて送信し、
前記局番呼出しパケットデータを受信した着信局の伝送装置は、同期転送信号のオーバーヘッドの第３のバイトを電話機にクロスコネクトして、前記局番呼出しパケットデータを発信局に返送し、
返送された前記局番呼出しパケットデータを受信した発信局の伝送装置は、前記第３のバイトを電話機にクロスコネクトし、
発信局の伝送装置と着信局の伝送装置でオーダーワイヤ回線を接続することを特徴とするオーダーワイヤ制御方法。
（付記２）
付記１記載のオーダーワイヤ制御方法において、
前記ルート検索パケットデータを複数のインタフェースから受信した伝送装置は、前記複数のインタフェースのうち先着のインタフェースを受信インタフェースとし、後着のインタフェースから受信したルート検索パケットデータに自局の装置情報と終端情報を追加して前記発信局に返送し、
前記前記ルート検索パケットデータを受信していないインタフェースから受信したルート検索パケットデータに自局の装置情報を追加して対向局に送信することを特徴とするオーダーワイヤ制御方法。
（付記３）
付記２記載のオーダーワイヤ制御方法において、
前記ルート検索パケットデータを受信した伝送装置は、障害のインタフェースがある場合に前記受信インタフェースから受信したルート検索パケットデータに障害ありの自局の装置置報と終端情報を追加して前記発信局に返送することを特徴とするオーダーワイヤ制御方法。
（付記４）
付記１乃至３のいずれか１項記載のオーダーワイヤ制御方法において、
同期転送信号のオーバーヘッドの複数バイトを前記第３のバイトに割り当て、
発信局の伝送装置からオーダーワイヤ回線接続の要求がある毎に、前記複数バイトの第３のバイトうち使用されていないバイトを選択して電話機にクロスコネクトし要求されたオーダーワイヤ回線接続を行うことを特徴とするオーダーワイヤ制御方法。
（付記５）
同期網を構成する伝送装置間で通話を行うオーダーワイヤ制御を行う伝送装置において、
自局の装置情報を設定したルート検索パケットデータを生成して同期転送信号のオーバーヘッドの第１のバイトにて送信する第１送信手段と、
受信した前記ルート検索パケットデータの送信先がある場合に受信した前記ルート検索パケットデータに自局の装置情報を追加して送信し、受信した前記ルート検索パケットデータの送信先がない場合に受信した前記ルート検索パケットデータに自局の装置情報と終端情報を追加して発信局に返送する第２送信手段と、
返送された前記終端情報を含むルート検索パケットデータを受信し、前記終端情報を含むルート検索パケットデータに設定された複数の伝送装置の装置情報を基にオーダーワイヤ接続ルートテーブルを作成するテーブル作成手段と、
着信局の伝送装置宛の局番呼出しパケットデータを同期転送信号のオーバーヘッドの第２のバイトにて前記オーダーワイヤ接続ルートテーブルに基づいて送信する第３送信手段と、
受信した前記局番呼出しパケットデータの着信局が自装置であるとき、同期転送信号のオーバーヘッドの第３のバイトを電話機にクロスコネクトすると共に、前記局番呼出しパケットデータを発信局に返送する第１クロスコネクト手段と、
返送された前記局番呼出しパケットデータの発信局が自装置であるとき、前記第３のバイトを電話機にクロスコネクトする第２クロスコネクト手段と、
を有することを特徴とする伝送装置。
（付記６）
付記５記載の伝送装置において、
前記第２送信手段は、前記ルート検索パケットデータを複数のインタフェースから受信した場合に、前記複数のインタフェースのうち先着のインタフェースを受信インタフェースとし、後着のインタフェースから受信したルート検索パケットデータに前記自局の装置情報と終端情報を追加して前記発信局に返送する手段と、
前記前記ルート検索パケットデータを受信していないインタフェースから受信したルート検索パケットデータに前記自局の装置情報を追加して対向局に送信する手段を
有することを特徴とする伝送装置。
（付記７）
付記６記載の伝送装置において、
前記第２送信手段は、障害のインタフェースがある場合に前記受信インタフェースから受信したルート検索パケットデータに障害ありの自局の装置情報と終端情報を追加して前記発信局に返送する手段を
有することを特徴とする伝送装置。
（付記８）
付記５乃至７のいずれか１項記載の伝送装置において、
同期転送信号のオーバーヘッドの複数バイトを前記第３のバイトに割り当て、
前記第１クロスコネクト手段は、発信局の伝送装置からオーダーワイヤ回線接続の要求がある毎に、前記複数バイトの第３のバイトうち使用されていないバイトを選択して電話機にクロスコネクトすることを特徴とする伝送装置。
（付記９）
付記１乃至４のいずれか１項記載のオーダーワイヤ制御方法において、
前記第１のバイトはセクションオーバーヘッドのＦ１バイト、前記第２のバイトはセクションオーバーヘッドのＤ４バイト、前記第３のバイトはセクションオーバーヘッドのＥ１バイト及びＥ２バイトであることを特徴とするオーダーワイヤ制御方法。
【図面の簡単な説明】
【０１２４】
【図１】従来のリニア構成のオーダーワイヤネットワークの一例の構成図である。
【図２】従来の伝送装置のオーダーワイヤ回路部の一例の構成図である。
【図３】リングプロテクション機能とリングリストア機能を説明するための図である。
【図４】デュアルリング構成のリングプロテクション機能とリングリストア機能を説明するための図である。
【図５】リニア構成のオーダーワイヤネットワークの一実施形態の構成図である。
【図６】伝送装置のオーダーワイヤ回路部の一実施形態の構成図である。
【図７】ＳＯＮＥＴの同期転送信号ＳＴＳ−３のフレームフォーマットを示す図である。
【図８】ルート検索パケットデータのフォーマットを示す図である。
【図９】局番呼出しパケットデータのフォーマットを示す図である。
【図１０】保守者呼出し動作の一実施形態を示す図である。
【図１１】発信局のオーダーワイヤ回路部の様子を示す図である。
【図１２】スレーブ局のオーダーワイヤ回路部の様子を示す図である。
【図１３】着信局のオーダーワイヤ回路部の様子を示す図である。
【図１４】発信局のオーダーワイヤ回路部の様子を示す図である。
【図１５】着信局のオーダーワイヤ回路部の様子を示す図である。
【図１６】メッシュ構成のオーダーワイヤネットワークの一実施形態の構成図である。
【図１７】図１６におけるＯＷ接続ルートテーブルを示す図である。
【図１８】ルート検索処理の一実施形態のフローチャートである。
【図１９】メッシュ構成のオーダーワイヤネットワーク（障害時）の一実施形態の構成図である。
【図２０】図１９におけるＯＷ接続ルートテーブルを示す図である。
【図２１】デュアルリング構成のオーダーワイヤネットワークの一実施形態の構成図である。
【図２２】図２１におけるＯＷ接続ルートテーブルを示す図である。
【図２３】デュアルリング構成のオーダーワイヤネットワーク（障害時）の一実施形態の構成図である。
【図２４】図２３におけるＯＷ接続ルートテーブルを示す図である。
【図２５】リニア構成のオーダーワイヤネットワークの一実施形態の構成図である。
【図２６】図２５におけるＯＷ接続ルートテーブルを示す図である。
【図２７】ライン冗長構成のオーダーワイヤネットワークの一実施形態の構成図である。
【図２８】図２７におけるＯＷ接続ルートテーブルを示す図である。
【図２９】ＲＥＧ構成のオーダーワイヤネットワークの一実施形態の構成図である。
【図３０】図２９におけるＯＷ接続ルートテーブルを示す図である。
【図３１】ＵＰＳＲ構成のオーダーワイヤネットワークの一実施形態の構成図である。
【図３２】図３１におけるＯＷ接続ルートテーブルを示す図である。
【図３３】ＢＬＳＲ構成のオーダーワイヤネットワークの一実施形態の構成図である。
【図３４】図３３におけるＯＷ接続ルートテーブルを示す図である。
【符号の説明】
【０１２５】
３１  ＯＷ接続ルート／呼出し制御部
３２  ＸＣ／加算部
３３  ＣＯＤＥＣ
３４ａ，３４ｂ  オーバーヘッドバイト多重部
３５ａ，３５ｂ  オーバーヘッドバイト多重分離部
３６  Ｅ１／Ｅ２切替え部
３８  ハイブリッド
３９  電話機
４０  マイクロコンピュータ
４２  リングバックトーン発生部
４３  セレクタ
４４  ＤＴＭＦ受信部
４５  ビジートーン発生部
４６  呼出し動作部
４７  給電回路
【図１】
2010147931.tif 000003
【図２】
2010147931.tif 000004
【図３】
2010147931.tif 000005
【図４】
2010147931.tif 000006
【図５】
2010147931.tif 000007
【図６】
2010147931.tif 000008
【図７】
2010147931.tif 000009
【図８】
2010147931.tif 000010
【図９】
2010147931.tif 000011
【図１０】
2010147931.tif 000012
【図１１】
2010147931.tif 000013
【図１２】
2010147931.tif 000014
【図１３】
2010147931.tif 000015
【図１４】
2010147931.tif 000016
【図１５】
2010147931.tif 000017
【図１６】
2010147931.tif 000018
【図１７】
2010147931.tif 000019
【図１８】
2010147931.tif 000020
【図１９】
2010147931.tif 000021
【図２０】
2010147931.tif 000022
【図２１】
2010147931.tif 000023
【図２２】
2010147931.tif 000024
【図２３】
2010147931.tif 000025
【図２４】
2010147931.tif 000026
【図２５】
2010147931.tif 000027
【図２６】
2010147931.tif 000028
【図２７】
2010147931.tif 000029
【図２８】
2010147931.tif 000030
【図２９】
2010147931.tif 000031
【図３０】
2010147931.tif 000032
【図３１】
2010147931.tif 000033
【図３２】
2010147931.tif 000034
【図３３】
2010147931.tif 000035
【図３４】
2010147931.tif 000036